(57)【要約】【課題】既設の送風ダクトに接続できる取り扱いが便利なダクト接続式散布装置を提供する。【解決手段】ダクト接続式散布装置１は、送風機２の送風ファン２ａを囲むファンカバー７の前側に、送風用ダクトに連結するための円筒状の連結用のスペーサ３を着脱自在に設けるとともに、該連結用スペーサ３に設けた投入口１０に、粉末タイプの散布剤を投入する投入器４を設けたものであるため、送風用ダクトＤに連結して粉末タイプの散布剤を散布することができる。送風機２が移動用の台車９に載置されているから、他の栽培圃場に移動して、温風暖房装置から取り外した送風ダクトＤに接続したり、既設の送風ダクトＤに接続したりして、粉末タイプの散布剤を散布することができる。【選択図】図１
2005295915.tif 000002
【特許請求の範囲】
【請求項１】
送風機と、該送風機の送風ファンを囲むファンカバーの前側に、送風ダクトに連結するための筒状の連結用スペーサを着脱自在に設けるとともに、該連結用スペーサに投入口を設け、該投入口に粉末タイプの散布剤を投入する投入器を設置したことを特徴とするダクト接続式農薬散布装置。
【請求項２】
前記送風機は、移動用台車に載置されていることを特徴とする請求項１に記載のダクト接続式散布装置。
【請求項３】
前記投入器は、散布剤の投入量、投入回数及び投入時間を制御する制御手段を備えたことを特徴とする請求項１若しくは請求項２に記載のダクト接続式散布装置。
【発明の詳細な説明】
【技術分野】
【０００１】
本発明は農作物の施設栽培等の圃場において使用されるダクト接続式散布装置に関するものである。
【背景技術】
【０００２】
農作物の施設栽培においては、農作物の地上部等の病害を防除するため農薬散布が行われている。一般的に散布用農薬は水溶液タイプ若しくは粉体タイプであり、噴霧式散布装置若しくは散粉器を用いて定期的に行われる。近年、人畜無害の粉末タイプの農薬が開発され、その散布方法の検討がなされている。施設栽培では周年栽培が行われ、冬季の寒い期間は施設内の温度を上げるための温風暖房装置が設置されている。この温風暖房装置の送風ダクトを用いて、粉末タイプの農薬を送給される温風に乗せ、施設内全体に散布する方法が試みられている。
【０００３】
しかしながら、上記既存の温風暖房装置には既に送風ダクトが接続されているため、粉末タイプの農薬は送風ファンの吸気側から投入するか、又は送風ダクトを温風暖房装置本体から取り外したり、送風ダクトに投入口を開けたりして農薬投入を行わなければならない。前者の場合、粉末タイプの農薬が送風ファンおよび温風暖房装置のヒーター部を通過することとなる。このため、温風暖房装置にトラブルを生じたり、農薬の効能の低下の原因となる。
【０００４】
また、温風暖房装置から送風ダクトを取り外して、粉末タイプの農薬を投入する作業は極めて作業性が悪い。粉末タイプの農薬の投入作業は、作業者が所定量を計量し、所定の時間内に行う必要がある。このため、人手不足の農家にとり非常に大きな負担となっている。さらに、温風暖房装置を別の施設へ移動し、既設の送風ダクトに接続して農薬散布を行うことも容易ではない。
【特許文献１】なし
【発明の開示】
【発明が解決しようとする課題】
【０００５】
本発明は上記問題点を解決するためになされたもので、既設の送風ダクトに接続できる取り扱いが便利なダクト接続式散布装置を提供することを目的とする。
【課題を解決するための手段】
【０００６】
上記目的を達成するための請求項１に記載のダクト接続式散布装置は、送風機と、該送風機の送風ファンを囲むファンカバーの前側に、送風ダクトに連結するための筒状の連結用スペーサを着脱自在に設けるとともに、該連結用スペーサに投入口を設け、該投入口に粉末タイプの散布剤を投入する投入器を設置したことを特徴とする。
【０００７】
また、請求項２に記載のダクト接続式散布装置は、請求項１に記載の構成において、前記送風機は、移動用台車に載置されていることを特徴とする。
【０００８】
請求項３に記載のダクト接続式散布装置は、請求項１若しくは請求項２に記載の構成において、前記投入器は、散布剤の投入量、投入回数及び投入時間を制御する制御手段を備えたことを特徴とする。
【発明の効果】
【０００９】
請求項１に記載のダクト接続式散布装置によれば、送風機の送風ファンを囲むファンカバーの前側に、送風ダクトに連結するための筒状の連結用スペーサを着脱自在に設けるとともに、該連結用スペーサに設けた投入口に、粉末タイプの散布剤を投入する投入器を設けたものであるため、既設の送風用ダクトに連結して粉末タイプの散布剤を散布することができる。また、散布剤は送風ファンの前側に投入され、散布剤が送風ファンを通過することがないから、散布剤が当たって送風ファンが磨耗する等の送風機の故障の発生が抑制される。
【００１０】
請求項２に記載のダクト接続式散布装置は、送風機が移動用台車に載置されているから、他の栽培圃場に移動して、温風暖房装置から取り外した送風ダクトに接続したり、既設の送風ダクトに接続したりして、粉末タイプの散布剤を散布することができる。
【００１１】
請求項３に記載のダクト接続式散布装置によれば、投入器は、散布剤の投入量、投入回数及び投入時間を制御する制御手段を備えているから、人手を掛けることなく所定量の粉末タイプの散布剤を所定時間に散布することが可能となる。
【発明を実施するための最良の形態】
【００１２】
既設の送風ダクトに接続できる取り扱いが便利なダクト接続式散布装置を提供するという目的を、送風機の送風ファンを囲むファンカバーの前側に、送風ダクトに連結するための筒状の連結用スペーサを着脱自在に設けるとともに、該連結用スペーサに設けた投入口に、粉末タイプの散布剤を投入する投入器を設けた構成により実現した。
【実施例】
【００１３】
本発明の実施例について図面を参照して説明する。図１は本実施例に係るダクト接続式散布装置１を例示した斜視図、図２は同、正面図である。ダクト接続式散布装置１は、送風機２とダクト連結用のスペーサ３と粉末タイプの散布剤の投入器４と該投入器４に付設した投入器制御装置５及び送風機制御装置６とから構成される。
【００１４】
送風機２は、送風ファン２ａを囲むファンカバー７を機枠８に固定されている。機枠８は、移動用の台車９に載置されている。ファンカバー７の送風側の前側には、円筒状のダクト連結用のスペーサ３が着脱可能に取り付けられている。スペーサ３の前側の開口部には、送風用ダクトＤに連結できる連結部３ａが形成されている。そして、該ダクト連結用のスペーサ３には、上面に粉末タイプの散布剤を投入する投入口１０が形成されている。
【００１５】
上記投入口１０には、散布剤の投入器４の案内筒１１が挿通固定されている。案内筒１１の下端は、スペーサ３の径方向の略中心に達している。また、案内筒１１の上端部は、投入器４の上面で散布剤の投入用漏斗１２に連結されている。投入器４には、投入口１０を開閉するシャッター（図示せず）が備えられている。    
【００１６】
投入器４に付設された投入器制御装置５は、制御回路、メモリ、各種検出回路等を備え、散布剤の投入量、投入回数及び投入時間を設定できるようになっている。これらの設定に基づいてシャッターを進退させて、投入用漏斗１２から重力による自然落下方式で投入される散布剤の投入量、投入回数及び投入時間を制御する。送風機制御装置６は機枠８に設置され、投入器制御装置５と同様に、制御回路、メモリ、各種検出回路等を備え、送風機２のオン・オフや回転数を制御できるようになっている。
【００１７】
上記構成のダクト接続式散布装置１は、送風機２の送風ファン２ａを囲むファンカバー７の前側に、送風ダクトＤに連結するための円筒状の連結用のスペーサ３を着脱自在に設けるとともに、該連結用スペーサ３に設けた投入口１０に、粉末タイプの散布剤を投入する投入器４を設けたものであるため、図３に示すように送風ダクトＤにスペーサ３の前側の開口部に形成した連結部３ａを連結して、粉末タイプの散布剤を散布することができる。この場合、送風ダクトＤとスペーサ３との間を、帆布製等の可撓性の連結筒体（図示せず）により連結することもできる。
【００１８】
また、散布剤は送風ファンの前側に投入され、散布剤が送風ファンを通過することがないから、散布剤が当たって送風ファン２ａが磨耗する等の送風機２の故障の発生が抑制される。さらに、送風機２が移動用の台車９に載置されているから、他の栽培圃場に移動して、温風暖房装置から取り外した送風ダクトＤに接続したり、既設の送風ダクトＤに接続したりして、粉末タイプの散布剤を散布することができる。そして、投入器４は、散布剤の投入量、投入回数及び投入時間を制御する投入器制御装置５を備えているから、人手を掛けることなく所定量の粉末タイプの散布剤を所定時間に散布することが可能となる等、取り扱いが便利なダクト接続式散布装置を提供することができる。
【図面の簡単な説明】
【００１９】
【図１】本実施例に係るダクト接続式散布装置を例示した斜視図である。
【図２】ダクト接続式散布装置の正面図である。
【図３】送風ダクトに連結した状態の平面図である。
【符号の説明】
【００２０】
１...ダクト接続式散布装置
２...送風機
２ａ...送風ファン
３…スペーサ
４...投入器
５...投入器制御装置
７...ファンカバー
９...台車
１０...投入口
Ｄ…送風用ダクト
【図１】
2005295915.tif 000003
【図２】
2005295915.tif 000004
【図３】
2005295915.tif 000005
【手続補正書】
【提出日】平成16年4月14日(2004.4.14)
【手続補正１】
【補正対象書類名】特許請求の範囲
【補正対象項目名】請求項１
【補正方法】変更
【補正の内容】
【請求項１】
送風機と、該送風機の送風ファンを囲むファンカバーの前側に、送風ダクトに連結するための筒状の連結用スペーサを着脱自在に設けるとともに、該連結用スペーサに投入口を設け、該投入口に粉末タイプの散布剤を投入する投入器を設置したことを特徴とするダクト接続式散布装置。